(57)【要約】【課題】着脱可能な記録媒体に記録されたコンテンツデータをコピーガード規制を遵守しつつ記憶し、記憶したコンテンツデータを短時間で編集することができる記録装置を提供する。【解決手段】光ディスク６１に固有のディスクＩＤを関連付けてある第１領域にコンテンツデータを記憶して編集し、編集されたコンテンツデータを光ディスク６１に記録した編集前のコンテンツデータとは非同一とし、非同一のコンテンツデータを光ディスク６１に上書きする。例えば編集されたコンテンツデータと光ディスク６１に記録した編集前のコンテンツデータとの同期状態を未同期とし、未同期の場合にのみ編集されたコンテンツデータを光ディスク６１に上書きし、コピーガード規制を遵守して、前記第１領域に記憶したコンテンツデータを短時間で編集することができる構成とした。【選択図】図１１
2010250889.tif 000002
【特許請求の範囲】
【請求項１】
着脱可能な記録媒体にコンテンツデータを記録する記録装置において、
前記コンテンツデータを記憶するための複数の記憶領域を有する記憶部と、
記録媒体に固有の情報を記憶領域に関連付けて記憶する手段と、
記録媒体に固有の情報を関連付けた記憶領域に記憶してあるコンテンツデータを編集する手段と、
記憶領域に記憶してあるコンテンツデータが編集されたことを示す情報を記憶する手段と、
記憶領域に記憶してあるコンテンツデータが編集されたことを示す情報が記憶してある場合に、編集されたコンテンツデータを記録媒体に上書きする手段とを備えること
を特徴とする記録装置。
【請求項２】
一の記録媒体に固有の情報を関連付けてある記憶領域にコンテンツデータが記憶されていない場合に、前記一の記録媒体から前記記憶領域にコンテンツデータを記憶する手段と、
前記一の記録媒体から前記記憶領域にコンテンツデータが記憶された場合に、前記記憶領域に記憶されたコンテンツデータの他の記録媒体への複写を禁止する情報を記憶する手段と
を備えることを特徴とする請求項１に記載の記録装置。
【請求項３】
編集されたコンテンツデータを記録媒体に上書きした場合に、記憶領域に記憶してあるコンテンツデータと同一のコンテンツデータを記録媒体に記録してあることを示す情報を記憶する手段を備えることを特徴とする請求項１又は２に記載の記録装置。
【請求項４】
記録媒体が装着されていない場合に、該記録媒体に固有の情報を関連付けてある記憶領域に記憶してあるコンテンツデータが編集されたときに、前記コンテンツデータが編集されたことを示す情報を記憶する手段と、
前記コンテンツデータが編集されたことを示す情報が記憶された後に前記記録媒体が装着された場合に、編集されたコンテンツデータを前記記録媒体に上書きする手段と
を備えることを特徴とする請求項１から３のいずれか一つに記載の記録装置。
【請求項５】
記録媒体が装着されていない場合に、該記録媒体に記憶してあるコンテンツデータを消去することを示す情報を記憶する手段と、
前記記録媒体に記憶してあるコンテンツデータを消去することを示す情報が記憶された後に前記記録媒体が装着された場合に、前記記録媒体から前記コンテンツデータを消去する手段と
を備えることを特徴とする請求項１から４のいずれか一つに記載の記録装置。
【請求項６】
記録媒体に固有の情報を関連付けてある記憶領域に記憶してあるコンテンツデータの編集中に、記録媒体の排出を禁止する手段を備えることを特徴とする請求項１から５のいずれか一つに記載の記録装置。
【発明の詳細な説明】
【技術分野】
【０００１】
本発明は、番組の内容を示すコンテンツデータを着脱可能な記録媒体に記録する記録装置に関する。
【背景技術】
【０００２】
近年、映像を高精細に保存することを希望するユーザが増加しており、高密度でデータを記録することができる記録媒体、例えばＢＤ（Blu-ray Disc）、ＤＶＤ（Digital Versatile Disc）等の光ディスクにコンテンツデータを記録する記録装置が広く普及している。ユーザによっては、光ディスクに記録したコンテンツデータを自らの好みに合わせて編集することを希望するため、一般に記録装置は光ディスクに記録したコンテンツデータを編集することができるように構成されている。
【０００３】
光ディスクには記録されたコンテンツデータを管理する管理情報、例えばチャプタのアドレス、コンテンツデータの記録時間等を記録してあり、ユーザは記録装置を操作して光ディスクにアクセスし、管理情報を書換えてコンテンツデータを編集することができる。ただ光ディスクへのアクセスには長時間を要し、コンテンツデータの編集には長時間を要する。
【０００４】
このためＩＣメモリへのアクセス時間は光ディスクに比べて短時間であることに着目し、光ディスクを収容するカートリッジにＩＣメモリを装着し、該ＩＣメモリに管理情報及び圧縮したコンテンツデータを記憶して、ＩＣメモリに記憶した管理情報を書換えて短時間でコンテンツデータを編集する記録装置が提案されている（特許文献１参照）。
【先行技術文献】
【特許文献】
【０００５】
【特許文献１】特開２００５−２５９１９６号公報
【発明の概要】
【発明が解決しようとする課題】
【０００６】
しかし特許文献１に記載の記録装置は、コンテンツデータの編集のために圧縮したコンテンツデータをＩＣメモリに記憶しており、該ＩＣメモリはカートリッジから取り外すことができるため、ＩＣメモリへのアクセスは容易であり、ダビング１０、ＣＧＭＳ（Copy Generation Management System）等のコピーガード規制に十分に対応しているとは言い切れない。
【０００７】
本発明は斯かる事情に鑑みてなされたものであり、その目的とするところは、着脱可能な記録媒体に記録されたコンテンツデータをコピーガード規制を遵守しつつ記憶し、記憶したコンテンツデータを短時間で編集することができる記録装置を提供することにある。
【課題を解決するための手段】
【０００８】
本発明に係る記録装置は、着脱可能な記録媒体にコンテンツデータを記録する記録装置において、前記コンテンツデータを記憶するための複数の記憶領域を有する記憶部と、記録媒体に固有の情報を記憶領域に関連付けて記憶する手段と、記録媒体に固有の情報を関連付けた記憶領域に記憶してあるコンテンツデータを編集する手段と、記憶領域に記憶してあるコンテンツデータが編集されたことを示す情報を記憶する手段と、記憶領域に記憶してあるコンテンツデータが編集されたことを示す情報が記憶してある場合に、編集されたコンテンツデータを記録媒体に上書きする手段とを備えることを特徴とする。
【０００９】
本発明にあっては、記録媒体に固有の情報を関連付けてある記憶領域にコンテンツデータを記憶して編集し、コンテンツデータが編集されたことを示す情報を記憶して、前記情報が記憶されたコンテンツデータは、前記記録媒体に記録したコンテンツデータとは非同一とし、非同一のコンテンツデータを前記記録媒体に上書きする。そのためコピーガード規制を遵守して、前記記憶領域に記憶したコンテンツデータを短時間で編集することができる。また編集されたコンテンツデータは、記録媒体に固有の情報によって関連付けられた記憶領域から前記記録媒体への記録のみ可能であり、他の記録媒体へ記録されない。また記憶領域を記録装置に内蔵することによって、ユーザは記憶領域に記憶したコンテンツデータに容易にアクセスすることができない。
【００１０】
本発明に係る記録装置は、一の記録媒体に固有の情報を関連付けてある記憶領域にコンテンツデータが記憶されていない場合に、前記一の記録媒体から前記記憶領域にコンテンツデータを記憶する手段と、前記一の記録媒体から前記記憶領域にコンテンツデータが記憶された場合に、前記記憶領域に記憶されたコンテンツデータの他の記録媒体への複写を禁止する情報を記憶する手段とを備えることを特徴とする。
【００１１】
本発明にあっては、編集するコンテンツデータが一の記録媒体にのみ記録されている場合に、一の記録媒体に記録されているコンテンツデータを前記一の記憶領域に記憶し、一の記憶領域において編集する。このとき前記一の記憶領域に記憶されたコンテンツデータの他の記録媒体への複写を禁止する情報を記憶するので、停電等によって編集が中止された場合には、復旧時に前記情報を参照することによって編集前のコンテンツデータが他の記録媒体へ不正に記録されることを回避することができる。
【００１２】
本発明に係る記録装置は、編集されたコンテンツデータを記録媒体に上書きした場合に、記憶領域に記憶してあるコンテンツデータと同一のコンテンツデータを記録媒体に記録してあることを示す情報を記憶する手段を備えることを特徴とする。
【００１３】
本発明にあっては、記憶領域にて編集されたコンテンツデータを記録媒体に上書きした場合に、前記記憶領域に記憶してあるコンテンツデータと同一のコンテンツデータを前記記録媒体に記録してあることを示す情報を記憶し、前記記録媒体に記録したコンテンツデータの他の記録媒体への複写を禁止する構成にすることによって、前記記録媒体に上書きされたコンテンツデータが他の記録媒体に不正に記録されることを回避することができる。
【００１４】
本発明に係る記録装置は、記録媒体が装着されていない場合に、該記録媒体に固有の情報を関連付けてある記憶領域に記憶してあるコンテンツデータが編集されたときに、前記コンテンツデータが編集されたことを示す情報を記憶する手段と、前記コンテンツデータが編集されたことを示す情報が記憶された後に前記記録媒体が装着された場合に、編集されたコンテンツデータを前記記録媒体に上書きする手段とを備えることを特徴とする。
【００１５】
本発明にあっては、記録媒体が装着されていない場合に記憶領域に記憶してあるコンテンツデータを編集し、編集後に前記記録媒体が装着された場合に、編集されたコンテンツデータを前記記録媒体に上書きするので、コンテンツデータが他の記録媒体に不正に記録されることを回避しつつ、コンテンツデータを編集して前記記録媒体に確実に記録することができる。
【００１６】
本発明に係る記録装置は、記録媒体が装着されていない場合に、該記録媒体に記憶してあるコンテンツデータを消去することを示す情報を記憶する手段と、前記記録媒体に記憶してあるコンテンツデータを消去することを示す情報が記憶された後に前記記録媒体が装着された場合に、前記記録媒体から前記コンテンツデータを消去する手段とを備えることを特徴とする。
【００１７】
本発明にあっては、記録媒体が装着されていない場合に、該記録媒体に記録してある映像データを消去する要求があったときに、前記記録媒体に関連付けた記憶領域に記憶してあるコンテンツデータを消去し、消去後に前記記録媒体が装着された場合に、消去を要求されたコンテンツデータを前記記録媒体から確実に消去する。
【００１８】
本発明に係る記録装置は、記録媒体に固有の情報を関連付けてある記憶領域に記憶してあるコンテンツデータの編集中に、記録媒体の排出を禁止する手段を備えることを特徴とする。
【００１９】
本発明にあっては、コンテンツデータの編集中に記録媒体の排出要求があっても、該要求を受け付けないので一の記録媒体に記録してあるコンテンツデータが他の記録媒体に不正に記録されることを防止することができる。
【発明の効果】
【００２０】
本発明に係る記録装置にあっては、記録媒体に固有の情報を関連付けてある記憶領域にコンテンツデータを記憶して編集し、コンテンツデータが編集されたことを示す情報を記憶して、前記情報が記憶されたコンテンツデータは、前記記録媒体に記録したコンテンツデータとは非同一とし、非同一のコンテンツデータを前記記録媒体に上書きする。そのためコピーガード規制を遵守して、前記記憶領域に記憶したコンテンツデータを短時間で編集することができる。また編集されたコンテンツデータは、記録媒体に固有の情報によって関連付けられた記憶領域から前記記録媒体への記録のみ可能であり、他の記録媒体へ記録されない。また記憶領域を記録装置に内蔵することによって、ユーザは記憶領域に記憶したコンテンツデータに容易にアクセスすることができず、コピーガード規制を遵守することができる。
【図面の簡単な説明】
【００２１】
【図１】実施の形態に係る記録装置の外観を示す概念図である。
【図２】記録装置の内部構成を示すブロック図である。
【図３】記憶部の内部構成を示す模式図である。
【図４】記憶部の記憶領域を分割する処理の手順を示すフローチャートである。
【図５】光ディスクドライブに光ディスクが装着されてから記録装置が行う処理の手順を示すフローチャートである。
【図６】記録装置が行う録画予約の処理の手順を示すフローチャートである。
【図７】保存用メモリに記憶した予約情報の内容例を示す概念図である。
【図８】記録装置が行う録画処理の手順を示すフローチャートである。
【図９】光ディスクに記録されたコンテンツデータの編集又は消去を示す概念図である。
【図１０】光ディスクが光ディスクドライブに装着され、光ディスク及び第１領域に同一のコンテンツデータを記録又は記憶してある場合においてコンテンツデータの編集を行うときの記憶部の状態を示す概念図である。
【図１１】光ディスクが光ディスクドライブに装着され、光ディスク及び第１領域に同一のコンテンツデータを記録又は記憶してある場合においてコンテンツデータの編集を行うときの記憶部の状態を示す概念図である。
【図１２】光ディスクが光ディスクドライブに装着され、光ディスク及び第１領域に同一のコンテンツデータを記録又は記憶してある場合においてコンテンツデータの編集を行うときの記憶部の状態を示す概念図である。
【図１３】光ディスクが光ディスクドライブに装着され、光ディスクにのみコンテンツデータを記憶してある場合においてコンテンツデータの編集を行うときの記憶部の状態を示す概念図である。
【図１４】光ディスクが光ディスクドライブに装着され、光ディスクにのみコンテンツデータを記憶してある場合においてコンテンツデータの編集を行うときの記憶部の状態を示す概念図である。
【図１５】光ディスクが光ディスクドライブに装着され、光ディスクにのみコンテンツデータを記憶してある場合においてコンテンツデータの編集を行うときの記憶部の状態を示す概念図である。
【図１６】光ディスクが光ディスクドライブに装着され、光ディスクにのみコンテンツデータを記憶してある場合においてコンテンツデータの編集を行うときの記憶部の状態を示す概念図である。
【図１７】光ディスクが光ディスクドライブに装着されている場合における録画／再生制御部が実行する編集処理を示すフローチャートである。
【図１８】光ディスクが光ディスクドライブに装着されておらず、光ディスク及び第１領域に同一のコンテンツデータを記録又は記憶してある場合においてコンテンツデータの編集を行うときの記憶部の状態を示す概念図である。
【図１９】光ディスクが光ディスクドライブに装着されておらず、光ディスク及び第１領域に同一のコンテンツデータを記録又は記憶してある場合においてコンテンツデータの編集を行うときの記憶部の状態を示す概念図である。
【図２０】光ディスクが光ディスクドライブに装着されておらず、光ディスク及び第１領域に同一のコンテンツデータを記録又は記憶してある場合においてコンテンツデータの編集を行うときの記憶部の状態を示す概念図である。
【図２１】光ディスクが光ディスクドライブに装着されておらず、光ディスク及び第１領域にコンテンツデータを記録又は記憶してある場合においてコンテンツデータの消去を行うときの記憶部の状態を示す概念図である。
【図２２】光ディスクが光ディスクドライブに装着されておらず、光ディスク及び第１領域にコンテンツデータを記録又は記憶してある場合においてコンテンツデータの消去を行うときの記憶部の状態を示す概念図である。
【図２３】光ディスクが光ディスクドライブに装着されておらず、光ディスク及び第１領域にコンテンツデータを記録又は記憶してある場合においてコンテンツデータの消去を行うときの記憶部の状態を示す概念図である。
【図２４】光ディスクが光ディスクドライブに装着されていない場合における録画／再生制御部が実行する編集予約又は消去予約処理を示すフローチャートである。
【図２５】予約編集又は予約消去処理の実行後に光ディスクが光ディスクドライブに装着された場合に実行される編集又は消去処理を示すフローチャートである。
【図２６】光ディスクドライブに光ディスクが装着され、光ディスクに記録されているコンテンツデータを編集している場合に実行される禁止処理を示すフローチャートである。
【発明を実施するための形態】
【００２２】
以下本発明を実施の形態に係る記録装置を示す図面に基づいて詳述する。
図１は記録装置１の外観を示す概念図である。記録装置１には、テレビジョン受像機である映像表示装置４が接続されており、記録装置１は、映像表示装置４に対して映像信号及び音声信号を出力し、映像表示装置４は、映像信号に基づいた映像を表示し、音声信号に基づいた音声を出力する。また記録装置１は、使用者によって操作されるリモコン（リモートコントローラ）５からの信号を受信することにより、録画予約の指示等の各種の指示を受け付ける。
【００２３】
図２は、本発明の記録装置である記録装置１の内部構成を示すブロック図である。記録装置１は、図示しない外部のアンテナ等に接続されてあり、デジタル放送の放送波を復調した放送信号を入力される放送入力部３１と、図示しない外部チューナ等の外部装置から映像信号及び音声信号を入力される信号入力部３２とを備えている。更に記録装置１は、リモコン５からの信号を受信するリモコン受信部３３と、映像表示装置４へ映像信号を出力する信号出力部３４と、放送された番組の内容を表すコンテンツデータを記録するハイブリッドドライブ部１０と、放送波から映像信号及びコンテンツデータを生成する処理を行うバックエンド部２０とを備えている。
【００２４】
バックエンド部２０は、デジタルチューナ２１及びエンコーダ２２を備えており、デジタルチューナ２１には放送入力部３１が接続され、エンコーダ２２には信号入力部３２が接続されている。デジタルチューナ２１は、放送入力部３１からデジタル放送の放送信号を入力され、選局されたチャンネル即ち特定の周波数帯の放送信号をＭＰＥＧ（Moving Picture Experts Group）−２ＴＳ（Transport Stream）等のデジタルのストリームデータに変換する。エンコーダ２２は、信号入力部３２から映像信号及び音声信号を入力され、映像信号及び音声信号をＭＰＥＧ−２ＰＳ（Program Stream）又はＭＰＥＧ−２ＴＳ等のデジタルのストリームデータにエンコードする処理を行う。またバックエンド部２０は、ストリーム処理部２３を備えており、デジタルチューナ２１及びエンコーダ２２はストリーム処理部２３に接続されている。ストリーム処理部２３は、デジタルチューナ２１及びエンコーダ２２からストリームデータを入力され、デジタル放送用のスクランブルを解除する処理等のストリームデータに対するデータ処理を行う。
【００２５】
ストリーム処理部２３は、バックエンド部２０内のシステムバスに接続されている。またシステムバスには、演算を行う演算部を含んでなる録画／再生制御部２４、揮発性メモリである制御用メモリ２５、不揮発性メモリである保存用メモリ２７、及びストリームデータをデコードするデコーダ２８が接続されている。またデコーダ２８には、画像処理部２９が接続されている。録画／再生制御部２４は、システムバスに接続された各部分間でのデータの入出力を制御する処理を行う。また録画／再生制御部２４にはバックエンド部２０外のリモコン受信部３３が接続されており、録画／再生制御部２４は、リモコン受信部３３からの信号を入力されることにより、使用者からの各種の指示を受け付ける。なお、記録装置１は、更に、チューナ装置等の外部装置からストリームデータを受信するイーサネット（登録商標）等のデジタルインタフェースを備えていてもよい。このデジタルインタフェースイは、ストリーム処理部２３に接続されている。
【００２６】
制御用メモリ２５は、ストリーム処理部２３又は録画／再生制御部２４等が実行する演算に伴う一時的な情報を記憶する。保存用メモリ２７は、録画／再生制御部２４の動作に必要な制御プログラム、及び録画予約の内容を記録した予約情報等の保存する必要がある情報を記憶する。デコーダ２８は、ストリームデータを映像信号及び音声信号へデコードし、映像信号及び音声信号を画像処理部２９へ入力する。画像処理部２９は、画素の補間又は色調整等の画像処理を映像信号に対して実行する。画像処理部２９にはバックエンド部２０外の信号出力部３４が接続されており、映像信号及び音声信号は信号出力部３４から映像表示装置４へ出力される。
【００２７】
更に、バックエンド部２０内のシステムバスには、ＳＡＴＡ（Serial Advanced Technology Attachment ）等のインタフェース部２６が接続されており、インタフェース部２６には、バックエンド部２０外のハイブリッドドライブ部１０が接続されている。バックエンド部２０は、インタフェース部２６を介してハイブリッドドライブ部１０との間でデータを交換する。
【００２８】
ハイブリッドドライブ部１０は、バックエンド部２０に接続するＳＡＴＡ等のインタフェース部１４と、光ディスクドライブ１１と、データを記憶する記憶部１２と、光ディスクドライブ１１及び記憶部１２の動作を制御するドライブ制御部１３とを備える。ハイブリッドドライブ部１０は、インタフェース部１４を介してバックエンド部２０との間でデータを交換する。光ディスクドライブ１１は、ブルーレイディスク又はＤＶＤ（Digital Versatile Disk）等の光ディスクを装着され、装着された光ディスクからのデータの読み出し、及び光ディスクへのデータの記録を行う。光ディスクは、光ディスクドライブ１１に対して着脱可能であり、本発明における記録媒体に相当する。記憶部１２は、フラッシュメモリ等の不揮発性メモリ又はハードディスクで構成されており、少なくとも光ディスクの記録容量と同等の記憶容量を有している。
【００２９】
図３は、記憶部１２の内部構成を示す模式図である。記憶部１２は、記憶部１２の記憶内容を管理するための情報を記憶する管理領域、並びにコンテンツデータを記憶するための第１領域、第２領域、…、第ｎ領域及び予備領域の複数の記憶領域を含んで構成されている。ここで、ｎは正の整数である。ｎは予め適当な値に定められており、記録装置１の出荷時点では、記憶部１２の記憶領域が管理領域、第１〜第ｎ領域及び予備領域の複数の記憶領域に予め分割されている。
【００３０】
記憶部１２の記憶領域の内、第１〜第ｎ領域は、個別に特定の光ディスクを対応付けておき、対応づけた光ディスクに応じたデータを記憶するための記憶領域である。例えば、第１領域には特定の光ディスク６１が対応付けられ、第２領域には特定の光ディスク６２が対応付けられる。記録装置１の出荷時点では、いずれの領域にも光ディスクは対応付けられていない。記録装置１を使用するには、使用者所有の光ディスクを何れかの記憶領域に対応付けて登録する処理を行う必要がある。また予備領域は、その他のデータを記憶するための記憶領域である。
【００３１】
記憶部１２の管理領域は、図３に示すように、管理領域を管理するための情報を記憶する管理領域管理部と、第１領域、第２領域、…、第ｎ領域及び予備領域の夫々を管理するための情報を記憶する第１領域管理部、第２領域管理部、…、第ｎ領域管理部及び予備領域管理部とを含んで構成されている。管理領域は、記憶部１２の記憶領域を分割した数を示すエントリ数と、管理領域中で第１〜第ｎ領域管理部及び予備領域管理部の夫々に割り当てられたエリアのアドレスを示す割り当てエリア情報とが記憶されている。
【００３２】
第１領域管理部には、第１記憶領域の番号を示すエントリ番号、第１領域に実際に光ディスクが対応付けられているか否かを示す割り当てフラグ、及び対応付けられた光ディスクを識別するためのメディアＩＤが記憶される。また第１領域管理部には、記憶部１２の記憶領域中で第１領域に割り当てられたエリアのアドレスを示す割り当てエリア情報、光ディスクのコピーガードに利用するための情報であるメディアキー情報、及び第１領域に係るデータの分布状態を示すマップ情報が記憶される。メディアＩＤ及びメディアキー情報は、光ディスクに予め記録されている情報であり、個々の光ディスクについて固有の情報である。記録装置１の出荷時点では、第１領域にはまだ光ディスク６１が対応付けられていないので、割り当てフラグは光ディスクが対応付けられていないことを示しており、特定の光ディスク６１に固有のメディアＩＤ及びメディアキー情報はまだ記憶されていない。マップ情報は、第１領域で記憶するデータ、及び第１領域に対応付けられた光ディスク６１で記録するデータが、第１領域及び光ディスク６１のどのアドレスに分布しているのかを示している。第２〜第ｎ領域管理部の夫々にも、同様の情報が記憶される。
【００３３】
なお、記録装置１は、記憶部１２の記憶領域が予め分割されているのではなく、使用者がｎの値を指定することによりｎを決定し、ｎの値に応じて記憶部１２の記憶領域を分割する処理を行う形態であってもよい。図４は、記憶部１２の記憶領域を分割する処理の手順を示すフローチャートである。録画／再生制御部２４は、記録装置１に登録できる光ディスクの枚数の指定を受け付けるための受付画面を映像表示装置４に表示させ、使用者が所定の操作を行ったリモコン５からの信号をリモコン受信部３３が受信することによって、登録できる光ディスクの枚数の指定を受け付ける（Ｓ１１）。録画／再生制御部２４は、記憶部１２の管理領域管理部に、指定された枚数の値を、エントリ数ｎとして記憶させることにより、エントリ数を設定する（Ｓ１２）。録画／再生制御部２４は、次に、記憶部１２の管理領域中に第１〜第ｎ領域管理部及び予備領域管理部を確保し、夫々に割り当てられたエリアのアドレスを示す割り当てエリア情報を管理領域管理部に記憶させることにより、第１領域管理部、第２領域管理部、…、第ｎ領域管理部及び予備領域管理部を設定する（Ｓ１３）。録画／再生制御部２４は、次に、記憶部１２の管理領域以外の記憶領域を（ｎ＋１）分割し、第１〜第ｎ領域及び予備領域の夫々に割り当てられたエリアのアドレスを示す割り当てエリア情報を、第１〜第ｎ領域管理部及び予備領域管理部の夫々に記憶させることにより、第１〜第ｎ領域及び予備領域を設定する（Ｓ１４）。記録装置１は、以上で記憶部１２の記憶領域を分割する処理を終了する。
【００３４】
次に、以上の構成でなる記録装置１が実行する処理を説明する。図５は、光ディスクドライブ１１に光ディスクが装着されてから記録装置１が行う処理の手順を示すフローチャートである。使用者の操作により光ディスクドライブ１１に光ディスクが装着された場合は、ドライブ制御部１３は、光ディスクク中の所定の位置に記録された情報を光ディスクドライブ１１に読み出させることにより、光ディスクのメディアＩＤを読み出し、インタフェース部１４からバックエンド部２０へ入力する。録画／再生制御部２４は、読み出したメディアＩＤが記憶部１２の第１〜第ｎ領域管理部のいずれかに記憶されているかを判定することにより、装着された光ディスクが既に登録済みの光ディスクであるか否かを判定する（Ｓ２０１）。メディアＩＤが記憶部１２に記憶されておらず、光ディスクが未登録であった場合は（Ｓ２０１：ＮＯ）、録画／再生制御部２４は、光ディスクドライブ１１で光ディスクから読み出したデータに基づき、光ディスクがフォーマット済みの光ディスクであるか否かを判定する（Ｓ２０２）。ステップＳ２０２では、例えば、ｖｏｌｕｍｅ  ｄｅｓｃｒｉｐｔｏｒに基づいて判定を行う。光ディスクがフォーマット済みの光ディスクであった場合は（Ｓ２０２：ＹＥＳ）、録画／再生制御部２４は、光ディスクドライブ１１で光ディスクから読み出したデータに基づき、光ディスクが再生専用の光ディスクであるか否かを判定する（Ｓ２０３）。
【００３５】
光ディスクが再生専用ではなかった場合は（Ｓ２０３：ＮＯ）、録画／再生制御部２４は、光ディスクのフォーマット指示を受け付けたか否かを判定する（Ｓ２０４）。例えば、録画／再生制御部２４は、光ディスクのフォーマット指示を受け付けるための受付画面用の映像信号をデコーダ２８及び画像処理部２９を介して信号出力部３４から映像表示装置４へ送信することにより、映像表示装置４に、フォーマット指示を受け付けるための受付画面を表示させる。受付画面を確認した使用者は、フォーマットを行う際には、リモコン５を操作することによって、フォーマットの指示を入力する。使用者からの所定の操作を受け付けたリモコン５が送信した所定の信号をリモコン受信部３３が受信することによって、光ディスクのフォーマット指示を受け付けた場合（Ｓ２０４：ＹＥＳ）、又はステップＳ２０２で光ディスクがフォーマット済みではなかった場合は（Ｓ２０２：ＮＯ）、録画／再生制御部２４は、ドライブ制御部１３及び光ディスクドライブ１１に、光ディスクをフォーマットさせる（Ｓ２０５）。光ディスクのフォーマット指示の受け付けがない場合は（Ｓ２０４：ＮＯ）、録画／再生制御部２４は、光ディスクの登録指示を受け付けたか否かを判定する（Ｓ２０６）。例えば、録画／再生制御部２４は、登録指示を受け付けるための受付画面を映像表示装置４に表示させ、光ディスクの登録を行うか否かの指示をリモコン受信部３３で受け付ける。なお、初期化の指示を受け付けるための受付画面と、登録指示を受け付けるための受付画面とを一つに合わせた受付画面を映像表示装置４に表示させる処理を行ってもよい。
【００３６】
ステップＳ２０５が終了した場合、又はステップＳ２０６で光ディスクの登録指示を受け付けた場合は（Ｓ２０６：ＹＥＳ）、録画／再生制御部２４は、記憶部１２の管理領域に記憶された情報に基づき、記憶部１２の第１〜第ｎ領域の内で光ディスクが対応付けられていない記憶領域があるか否かを判定する（Ｓ２０７）。光ディスクが対応付けられていない記憶領域がない場合（Ｓ２０７：ＮＯ）、録画／再生制御部２４は、各記憶領域に対応付けて登録してある光ディスクの内で何れかの光ディスクの登録を解消することの指示を受け付けたか否かを判定する（Ｓ２０８）。例えば、録画／再生制御部２４は、光ディスクの新規登録ができないことを報知した上で既に登録されている光ディスクの登録解消の指示を受け付けるための受付画面を映像表示装置４に表示させ、登録解消をするか否かの指示をリモコン受信部３３で受け付ける。なお、どの光ディスクの登録を解消するかの指示をも受け付ける処理を行ってもよい。登録解消の指示を受け付けた場合は（Ｓ２０８：ＹＥＳ）、録画／再生制御部２４は、ドライブ制御部１３に、記憶部１２の管理領域に記憶されている一の光ディスクに固有の情報を消去させることにより、一の光ディスクの登録を解消する処理を行う（Ｓ２０９）。例えば、記憶部１２の第１領域に対応付けられている光ディスク６１の登録を解消する場合は、記憶部１２の第１領域管理部に記憶されているメディアＩＤ及びメディアキー情報を消去することにより、登録を解消する処理を行う。またこのとき、第１領域管理部に記憶されている割り当てフラグは、光ディスクが対応付けられていないことを示すフラグに書き換えられる。
【００３７】
ステップＳ２０７で光ディスクが対応付けられていない記憶領域がある場合（Ｓ２０７：ＹＥＳ）、又はステップＳ２０９が終了した場合は、録画／再生制御部２４は、光ディスクドライブ１１に装着された光ディスクを、光ディスクが対応付けられていない記憶領域のいずれかに対応付けて登録する処理を行う（Ｓ２１０）。例えば、記憶部１２の第１領域に光ディスク６１を対応付ける場合は、光ディスクドライブ１１に装着されている光ディスク６１から読み出したメディアＩＤ及びメディアキー情報を記憶部１２の第１領域管理部に記憶させる。また第１記憶管理部に記憶されている割り当てフラグを、光ディスクが対応付けられていることを示すフラグに書き換える。ステップＳ２０１で光ディスクが登録済みであった場合（Ｓ２０１：ＹＥＳ）、又はステップＳ２１０が終了した場合は、録画／再生制御部２４は、録画又は再生等の処理を実行するために、光ディスクドライブ１１に装着されている光ディスクへのアクセスを開始する（Ｓ２１１）。
【００３８】
ステップＳ２０３で光ディスクが再生専用であった場合（Ｓ２０３：ＹＥＳ）、ステップＳ２０６で光ディスクの登録指示の受付がなかった場合（Ｓ２０６：ＮＯ）、又はステップＳ２０８で登録解消の指示の受付がなかった場合は（Ｓ２０８：ＮＯ）、録画／再生制御部２４は、光ディスクドライブ１１に装着されている光ディスクに対して、未登録の光ディスクとしてアクセスを開始する（Ｓ２１２）。記録装置１は、以上で、光ディスクが装着された際の処理を終了する。
【００３９】
記録装置１は、登録された光ディスクが光ディスクドライブ１１に装着されている状態で、録画予約の処理を行う。図６は、記録装置１が行う録画予約の処理の手順を示すフローチャートである。録画／再生制御部２４は、録画すべき番組の指定を受け付けるための受付画面を映像表示装置４に表示させ、使用者が所定の操作を行ったリモコン５からの信号をリモコン受信部３３で受信することによって、録画すべき番組の指定を受け付ける（Ｓ３１）。例えば、映像表示装置４は、電子番組表を表示し、使用者は電子番組表を確認しながらリモコン５を操作することによって、番組が電子番組上で指定される。録画／再生制御部２４は、次に、受け付けた番組の指定に従って、録画を予約した番組を指定する予約情報を生成し、光ディスクドライブ１１に装着されている光ディスクのメディアＩＤと関連付けて、予約情報を保存用メモリ２７に記憶させる（Ｓ３２）。録画／再生制御部２４は、次に、ドライブ制御部１３及び光ディスクドライブ１１に、光ディスクドライブ１１に装着されている光ディスクに予約情報を記録させる（Ｓ３３）。記録装置１は、以上で録画予約の処理を終了する。
【００４０】
図７は、保存用メモリ２７に記憶した予約情報の内容例を示す概念図である。メディアＩＤと予約情報とが互いに関連付けられて記憶されている。予約情報は、チャンネル、番組の放送日時を示す情報を含んでおり、これらの情報により番組が指定される。なお、予約情報は、メディアＩＤの代わりに、光ディスクが対応付けられた記憶部１２の記憶領域のエントリ番号に関連付けて記憶されてもよい。このようにして、保存用メモリ２７は、登録されている光ディスクに関連付けて予約情報を記憶する。
【００４１】
図８は、記録装置１が行う録画処理の手順を示すフローチャートである。録画／再生制御部２４は、クロックに基づいて日時を計測し、保存用メモリ２７に記憶してある予約情報に含まれる情報が示す番組の放送日時になったか否かを随時判定する（Ｓ４１）。まだ番組の放送日時ではない場合は（Ｓ４１：ＮＯ）、録画／再生制御部２４は、日時の計測を続行する。予約情報に含まれる情報が示す番組の放送日時になった場合は（Ｓ４１：ＹＥＳ）、録画／再生制御部２４は、光ディスクドライブ１１に光ディスクが装着されているか否かを判定する（Ｓ４２）。光ディスクドライブ１１に光ディスクが装着されている場合は（Ｓ４２：ＹＥＳ）、録画／再生制御部２４は、光ディスクドライブ１１に装着されている光ディスクが放送日時を示す情報を含む予約情報に関連付けられた光ディスクであるか否かを判定する（Ｓ４３）。ステップＳ４３では、録画／再生制御部２４は、光ディスクからメディアＩＤを読み出し、予約情報に関連付けて保存用メモリ２７で記憶してあるメディアＩＤと読み光ディスクドライブ１１に出したメディアＩＤとが一致するか否かに応じて、判定を行う。
【００４２】
ステップＳ４３で、メディアＩＤが一致してあり、光ディスクが予約情報に関連付けられた光ディスクである場合は（Ｓ４３：ＹＥＳ）、録画／再生制御部２４は、放送が開始された番組の内容を表すコンテンツデータを光ディスクドライブ１１で光ディスクに記録させる処理を行う（Ｓ４４）。ステップＳ４４では、デジタルチューナ２１は予約情報が示すチャンネルの放送信号をストリームデータへ変換し、ストリーム処理部２３はストリームデータに対するデータ処理を行い、録画／再生制御部２４は、ストリームデータをインタフェース部２６からハイブリッドドライブ部１０へ入力させる。ストリームデータは、デコードすることで番組を再生することが可能であり、番組の内容を表すコンテンツデータである。更にステップＳ４４では、録画／再生制御部２４は、ドライブ制御部１３に、コンテンツデータを光ディスクドライブ１１で光ディスクに記録させる処理を行う。例えば、放送日時になった番組を指定する予約情報が光ディスク６１に関連付けられてあり、光ディスク６１が光ディスクドライブ１１に装着されてある場合は、光ディスク６１にコンテンツデータが記録される。なお、録画／再生制御部２４は、光ディスクにコンテンツデータを記録させると共に、記憶部１２の記憶領域の内で、予約情報に関連付けられた光ディスクが対応付けられた記憶領域にコンテンツデータを記憶させる処理を行ってもよい。
【００４３】
番組の放送が終了し、コンテンツデータの記録が終了した場合、録画／再生制御部２４は、光ディスクに記録したコンテンツデータが表す番組のタイトルを示すタイトル情報を光ディスクに記録させる（Ｓ４６）。番組のタイトルには、電子番組表で表示されるタイトル等、デジタルチューナ２１が受信する放送信号に含まれる情報に基づいて決定したタイトルを用いてもよく、また使用者がリモコン５を操作することにより設定されたタイトルを用いてもよい。録画／再生制御部２４は、次に、光ディスクに記録させたタイトル情報と同等のタイトル情報を、保存用メモリ２７に記憶する（Ｓ４７）。なお、録画／再生制御部２４は、記憶部１２の記憶領域の内で、予約情報に関連付けられた光ディスクが対応付けられた記憶領域にタイトル情報を記憶させる処理を行ってもよい。
【００４４】
ステップＳ４２で光ディスクドライブ１１に光ディスクが装着されていない場合（Ｓ４２：ＮＯ）、又はステップＳ４３でメディアＩＤが一致しておらず、光ディスクが予約情報に関連付けられた光ディスクではない場合は（Ｓ４３：ＮＯ）、録画／再生制御部２４は、放送が開始された番組の内容を表すコンテンツデータを、記憶部１２の記憶領域の内で、予約情報に関連付けられた光ディスクに対応付けられた記憶領域に記憶させる（Ｓ４５）。例えば、放送日時になった番組を指定する予約情報が光ディスク６１に関連付けられてあり、光ディスクドライブ１１に光ディスクが装着されていないか、又は光ディスクドライブ１１に光ディスク６１以外の光ディスクが装着されている場合は、記憶部１２の第１領域にコンテンツデータが記憶される。番組の放送が終了し、コンテンツデータの記録が終了した場合、録画／再生制御部２４は、記憶部１２に記憶させたコンテンツデータが表す番組のタイトルを示すタイトル情報を、保存用メモリ２７に記憶する（Ｓ４７）。
【００４５】
ステップＳ４７が終了した後は、録画／再生制御部２４は、光ディスクに記録したコンテンツデータ又は記憶部１２に記憶したコンテンツデータの分布状態を示すマップ情報を、ステップＳ４７までの処理を反映するように更新する（Ｓ４８）。録画／再生制御部２４は、次に、録画が終了した番組の予約情報を光ディスク及び保存用メモリ２７から消去する処理を行い（Ｓ４９）、録画処理を終了する。
【００４６】
記録装置１は、ステップＳ４５において記憶領域にコンテンツデータを記憶した後に、記憶領域に対応する光ディスクが光ディスクドライブ１１に装着された場合に、記憶領域に記憶したコンテンツデータを光ディスクに記録して、予約したコンテンツデータを光ディスクに確実に記録する。
また記録装置１は、光ディスクに記録したコンテンツデータを対応する記憶領域に記憶してある場合に、記憶領域に記憶されたコンテンツデータに対してコンテンツデータを編集又は消去し、編集後のコンテンツデータを光ディスクに書き戻すか又は記憶領域から消去されたコンテンツデータと同じコンテンツデータを光ディスクから消去して、光ディスクに記録されたコンテンツデータの編集又は消去を行う。例えばステップＳ４４において、光ディスクにコンテンツデータを記録させると共に、記憶部１２の記憶領域の内で、予約情報に関連付けられた光ディスクが対応付けられた記憶領域にコンテンツデータを記憶させた場合に、光ディスクに記録されたコンテンツデータの編集又は消去を行うことができる。なおコンテンツデータの編集又は消去は、ユーザがリモコン５を操作することによって行われる。
【００４７】
図９は光ディスクに記録されたコンテンツデータの編集又は消去を示す概念図である。図９（ａ）は編集又は消去される前のコンテンツデータの番組名及び再生時間を示しており、番組１〜番組３が再生時間と共に示されている。一方図９（ｂ）は編集又は消去された後のコンテンツデータの番組名及び再生時間を示している。図９（ａ）に示す状態から、番組１に対してコンテンツデータを分割するチャプタ分割、番組２に対してコンテンツデータの一部を消去するシーン消去、及び番組３に対してコンテンツデータ全体を消去するタイトル消去が行われた場合には、図９（ｂ）に示すように、番組１は分割され新たな番組名がそれぞれ付され、番組２はシーン消去によって再生時間が短縮される。また番組３はタイトル消去によって削除される。
【００４８】
次に光ディスク６１が光ディスクドライブ１１に装着され、光ディスク６１及び第１領域に同一のコンテンツデータを記録又は記憶してある場合におけるコンテンツデータの編集について説明する。図１０〜図１２は、光ディスク６１が光ディスクドライブ１１に装着され、光ディスク６１及び第１領域に同一のコンテンツデータを記録又は記憶してある場合においてコンテンツデータの編集を行うときの記憶部１２の状態を示す概念図である。
【００４９】
図１０（ａ）は、光ディスクに記録したコンテンツデータを対応する記憶領域に記憶してある状態、例えばステップＳ４４において光ディスク６１及び記憶部１２の第１領域に番組１のコンテンツデータが記録した状態を示し、更に、光ディスク６１の記録内容及び第１領域の記録内容の少なくとも一方に含まれるコンテンツデータを記録する仮想的なディスク（仮想ディスク）の記録イメージを示す。光ディスク６１及び第１領域に番組１のコンテンツデータが記憶されており、それに伴って仮想ディスクにもコンテンツデータが記録されている。図１０（ｂ）は、記憶部１２の第１領域管理部に記憶されたマップ情報の内容例を示す。コンテンツデータのデータ名に関連付けて、仮想ディスク及び第１領域におけるデータの分布が、先頭アドレス及びデータのサイズによって記録されている。更に、第１領域とディスク６１とでのコンテンツデータの同期状態を示す情報が記録されている。第１領域とディスク６１とのコンテンツデータが同期している場合には、同一のコンテンツデータが両者に記録又は記憶されている。一方第１領域とディスク６１とのコンテンツデータが未同期である場合には、非同一のコンテンツデータが両者に記録又は記憶されているか又は第１領域にのみコンテンツデータが記憶されている。仮想ディスクと第１領域とでは、コンテンツデータの先頭アドレスが異なるものの、同サイズのコンテンツデータが記録されていることが示されている。コンテンツデータは光ディスク６１と第１領域とに記録又は記憶されているで、同期状態は同期となっている。なお、本実施例では、メモリのアドレス及びデータのサイズを十進法の数字で示している。
【００５０】
図１０（ｃ）は、タイトル情報の内容例を示す。コンテンツデータが表す番組のタイトルに関連付けて、番組が継続する時間の長さ、画質、ダビング可能回数、同期状態、コンテンツデータが記憶されている記憶領域（第ｎ領域）、後述する編集予約及び消去予約を示す情報が記録されている。ダビング可能回数は、記憶領域から光ディスクへコンテンツデータを記録することができる回数を示しており、記憶領域と同一のコンテンツデータを複写する場合に減算される。なお光ディスクから記憶領域にコンテンツデータが記憶された場合には、ダビング可能回数は強制的に０になり、記憶領域から光ディスクへコンテンツデータが記録されないようにしてある。第１領域にコンテンツデータが記憶してあるため記憶領域は第１領域となっている。なお、コンテンツデータのデータ名とタイトル名とは、図１０に示したように同一でもよいが、互いに異なっていてもよい。
【００５１】
図１１（ａ）は、図１０に示す状態からリモコン５からの信号に基づいて第１領域に記憶してあるコンテンツデータに対して編集作業が行われた状態を示す。斜線部分は編集されたコンテンツデータの部分を示しており、第１領域に記憶してあるコンテンツデータが編集され、それに伴って仮想ディスクのコンテンツデータも編集されている。一方光ディスク６１に記憶してあるコンテンツデータは編集されていない。第１領域に記憶してあるコンテンツデータと光ディスク６１に記憶してあるコンテンツデータとは非同一であるため、図１１（ｂ）、図１１（ｃ）に示すように、同期状態は未同期となっている。
【００５２】
図１２（ａ）は、第１領域にて編集されたコンテンツデータが光ディスク６１へ上書きされた状態を示す。編集作業が終了した場合に、第１領域にて編集されたコンテンツデータは光ディスク６１へ上書きされる。このとき、第１領域にて編集されたコンテンツデータは編集前のコンテンツデータとは非同一であり、光ディスク６１へ上書きはダビングには該当しないため、図１２（ｃ）に示すように、ダビング可能回数は上書き前と変わらない。第１領域にて編集されたコンテンツデータが光ディスク６１へ上書きされ、第１領域に記憶してあるコンテンツデータと光ディスク６１に記憶してあるコンテンツデータとは同一となっている。第１領域に記憶してあるコンテンツデータと光ディスク６１に記憶してあるコンテンツデータとは同一であるため、図１２（ｂ）、図１２（ｃ）に示すように、同期状態は同期となっている。なお同期となっている場合には第１領域から光ディスク６１へ上書きされることはなく、また光ディスク６１以外の光ディスクへ記録されることもない。
【００５３】
次に光ディスク６１が光ディスクドライブ１１に装着され、光ディスク６１にのみコンテンツデータを記憶してある場合におけるコンテンツデータの編集について説明する。図１３〜図１６は、光ディスク６１が光ディスクドライブ１１に装着され、光ディスク６１にのみコンテンツデータを記憶してある場合においてコンテンツデータの編集を行うときの記憶部１２の状態を示す概念図である。
図１３（ａ）は、光ディスク６１が光ディスクドライブ１１に装着され、光ディスク６１にのみコンテンツデータを記憶してある状態を示し、それに伴って仮想ディスクにもコンテンツデータが記録されている。図１３（ｂ）は、記憶部１２の第１領域管理部に記憶されたマップ情報の内容例を示す。コンテンツデータのデータ名に関連付けて、仮想ディスクにおけるデータの分布が、先頭アドレス及びデータのサイズによって記録されている。なお第１領域にはコンテンツデータが記憶されていないので、第１領域におけるデータの分布は記録されておらず、同期状態も記録されていない。図１３（ｃ）は、タイトル情報の内容例を示す。第１領域にコンテンツデータが記憶されていないため、ダビング可能回数、同期状態、記憶領域、編集予約及び消去予約には情報が記録されていない。
【００５４】
図１４（ａ）は、図１３に示す状態から、光ディスク６１に記録してあるコンテンツデータを第１領域へ記憶した状態を示す。図１４（ｂ）は、記憶部１２の第１領域管理部に記憶されたマップ情報の内容例を示す。第１領域にコンテンツデータが記憶されているため、コンテンツデータのデータ名に関連付けて、第１領域におけるデータの分布が、先頭アドレス及びデータのサイズによって記録されており、更に第１領域に記憶してあるコンテンツデータと光ディスク６１に記録してあるコンテンツデータとが同一であるため、同期状態は同期となっている。図１４（ｃ）は、タイトル情報の内容例を示す。光ディスク６１から第１領域にコンテンツデータが記憶されているため、ダビング可能回数は０になっており、記憶領域は第１領域となっている。また第１領域に記憶してあるコンテンツデータと光ディスク６１に記録してあるコンテンツデータとが同一であるため、同期状態は同期となっている。
【００５５】
図１５（ａ）は、図１４に示す状態から第１領域に記憶してあるコンテンツデータを編集した状態を示す。斜線部分は編集されたコンテンツデータの部分を示しており、第１領域に記憶してあるコンテンツデータが編集され、それに伴って仮想ディスクのコンテンツデータも編集されている。一方光ディスク６１に記憶してあるコンテンツデータは編集されていない。第１領域に記憶してあるコンテンツデータと光ディスク６１に記憶してあるコンテンツデータとは非同一であるため、図１５（ｂ）、図１５（ｃ）に示すように、同期状態は未同期となっている。
【００５６】
図１６（ａ）は、第１領域にて編集されたコンテンツデータが光ディスク６１へ上書きされた状態を示し、第１領域にて編集されたコンテンツデータが光ディスク６１へ上書きされ、第１領域に記憶してあるコンテンツデータと光ディスク６１に記憶してあるコンテンツデータとは同一となっている。第１領域に記憶してあるコンテンツデータと光ディスク６１に記憶してあるコンテンツデータとは同一であるため、図１６（ｂ）、図１６（ｃ）に示すように、同期状態は同期となっている。なお同期となっている場合には第１領域から光ディスク６１へ上書きされることはなく、また光ディスク６１以外の光ディスクへ記録されることもない。
【００５７】
光ディスク６１が光ディスクドライブ１１に装着され、リモコン５から編集開始信号が入力された場合に、録画／再生制御部２４は上述した編集処理を実行する（図１０〜図１６）。図１７は光ディスク６１が光ディスクドライブ１１に装着されている場合における録画／再生制御部２４が実行する編集処理を示すフローチャートである。
【００５８】
録画／再生制御部２４はリモコン受信部３３を介してリモコン５から編集開始信号が入力された否かを判定し（Ｓ５１）、編集開始信号が入力されるまで待機する（Ｓ５１：ＮＯ）。編集開始信号が入力された場合に（Ｓ５１：ＹＥＳ）、録画／再生制御部２４は、光ディスク６１に記録してあるコンテンツデータから編集すべきコンテンツデータを選択するための映像を映像表示装置４に表示させて、コンテンツデータが選択されたか否かを判定し（Ｓ５２）、コンテンツデータが選択されるまで待機する（Ｓ５２：ＮＯ）。コンテンツデータが選択された場合に（Ｓ５２：ＹＥＳ）、録画／再生制御部２４は、選択されたコンテンツデータが記憶部１２の第１領域に記憶してあるか否か判定する（Ｓ５３）。選択されたコンテンツデータが記憶部１２の第１領域に記憶してある場合に（Ｓ５３：ＹＥＳ）、録画／再生制御部２４は、処理を後述するステップＳ５６へ進める。選択されたコンテンツデータが記憶部１２の第１領域に記憶されていない場合に（Ｓ５３：ＮＯ）、録画／再生制御部２４は、選択されたコンテンツデータを光ディスク６１から記憶部１２の第１領域へ記憶する（Ｓ５４）。そして録画／再生制御部２４はダビング可能回数を０にし（Ｓ５５）、同期状態を未同期にする（Ｓ５６）。次に録画／再生制御部２４は、リモコン５からの信号を受け付けて、第１領域に記憶してあるコンテンツデータを編集する（Ｓ５７）。そして録画／再生制御部２４は、リモコン５から編集終了信号が入力されたか否かを判定する（Ｓ５８）。リモコン５から編集終了信号が入力されていない場合には（Ｓ５８：ＮＯ）、録画／再生制御部２４は、処理をステップＳ５７へ戻す。リモコン５から編集終了信号が入力された場合には（Ｓ５８：ＹＥＳ）、録画／再生制御部２４は、編集確定信号が入力されたか否か判定する（Ｓ５９）。編集確定信号が入力されていない場合には（Ｓ５９：ＮＯ）、録画／再生制御部２４は、処理をステップＳ５７へ戻す。編集確定信号が入力されている場合には（Ｓ５９：ＹＥＳ）、録画／再生制御部２４は、第１領域にて編集されたコンテンツデータを光ディスク６１へ上書きし（Ｓ６０）、同期状態を同期にする（Ｓ６１）。
【００５９】
次に光ディスク６１が光ディスクドライブ１１に装着されておらず、光ディスク６１及び第１領域に同一のコンテンツデータを記録又は記憶してある場合におけるコンテンツデータの編集について説明する。図１８〜図２０は、光ディスク６１が光ディスクドライブ１１に装着されておらず、光ディスク６１及び第１領域に同一のコンテンツデータを記録又は記憶してある場合においてコンテンツデータの編集を行うときの記憶部１２の状態を示す概念図である。なお光ディスク６１が光ディスクドライブ１１に装着されていない場合における編集作業は、タイトル情報に基づいて映像表示装置４にコンテンツデータのタイトルを表示し、表示されたタイトルをユーザがリモコン５を操作して選択し、選択したタイトルに係るコンテンツデータに対してユーザがリモコン５を操作してチャプタ分割、シーン消去等を行うことによって実行される。
【００６０】
図１８（ａ）は、光ディスク６１が光ディスクドライブ１１に装着されておらず、光ディスク６１及び記憶部１２の第１領域に番組１のコンテンツデータが記録してある状態を示す仮想ディスクの記録イメージである。光ディスク６１を破線で表記し、光ディスク６１が光ディスクドライブ１１に装着されていないことを示している。光ディスク６１及び第１領域に番組１のコンテンツデータが記憶されており、それに伴って仮想ディスクにもコンテンツデータが記録されている。図１８（ｂ）は、記憶部１２の第１領域管理部に記憶されたマップ情報の内容例を示す。コンテンツデータは光ディスク６１と第１領域とに記録又は記憶されているで、同期状態は同期となっている。図１８（ｃ）は、タイトル情報の内容例を示しており、編集予約には、光ディスクが光ディスクドライブ１１に装着されておらず、記憶領域に記憶してあるコンテンツデータの編集を行う場合に情報が記録される。また消去予約には光ディスクが光ディスクドライブ１１に装着されておらず、光ディスクに記録されたコンテンツデータを消去する場合に情報が記録される。なお第１領域にコンテンツデータがしてあるため、図１８（ｃ）における第ｎ領域の欄には、コンテンツデータを記憶してある記憶領域を示す情報として第１領域を示す情報が記録してある。
【００６１】
図１９（ａ）は、図１８に示す状態からリモコン５からの信号に基づいて第１領域に記憶してあるコンテンツデータに対して編集作業が行われた状態を示す。斜線部分は編集されたコンテンツデータの部分を示しており、第１領域に記憶してあるコンテンツデータが編集され、それに伴って仮想ディスクのコンテンツデータも編集されている。一方光ディスク６１は光ディスクドライブ１１に装着されていないので、光ディスク６１に記録してあるコンテンツデータは編集されていない。第１領域に記憶してあるコンテンツデータと光ディスク６１に記憶してあるコンテンツデータとは非同一であるため、図１９（ｂ）、図１９（ｃ）に示すように、同期状態は未同期となっている。また光ディスク６１が光ディスクドライブ１１に装着されていない状態で第１領域に記憶してあるコンテンツデータを編集したので、図１９（ｃ）に示すように、編集予約を示す情報が記録されている（以下編集予約を示す情報が記録されることを編集予約をするという）。
【００６２】
図２０（ａ）は、図１９に示す状態で光ディスク６１が装着され、第１領域に記憶してある編集後のコンテンツデータを光ディスク６１に上書きした状態を示す。光ディスク６１が装着され、第１領域に記憶してある編集後のコンテンツデータが光ディスク６１に上書きされ、編集が完了したので、図２０（ｃ）に示すように、編集予約も終了する。また第１領域にて編集されたコンテンツデータは編集前のコンテンツデータとは非同一であり、光ディスク６１へ上書きはダビングには該当しないため、図２０（ｃ）に示すように、ダビング可能回数は上書き前と変わらない。また第１領域に記憶してあるコンテンツデータと光ディスク６１に記憶してあるコンテンツデータとは同一であるため、図２０（ｂ）、図２０（ｃ）に示すように、同期状態は同期となっている。
【００６３】
次に光ディスク６１が光ディスクドライブ１１に装着されておらず、光ディスク６１及び第１領域にコンテンツデータを記録又は記憶してある場合におけるコンテンツデータの消去について説明する。図２１〜図２３は、光ディスク６１が光ディスクドライブ１１に装着されておらず、光ディスク６１及び第１領域にコンテンツデータを記録又は記憶してある場合においてコンテンツデータの消去を行うときの記憶部１２の状態を示す概念図である。
図２１（ａ）は、光ディスク６１が光ディスクドライブ１１に装着されておらず、光ディスク６１に番組１〜番組３のコンテンツデータが記録してあり、記憶部１２の第１領域に番組１及び番組２のコンテンツデータが記憶してある状態を示す仮想ディスクの記録イメージである。光ディスク６１に番組１〜番組３のコンテンツデータが記憶されており、それに伴って仮想ディスクにもコンテンツデータが記録されている。図２１（ｂ）は、記憶部１２の第１領域管理部に記憶されたマップ情報の内容例を示す。番組１及び番組２のコンテンツデータは光ディスク６１と第１領域とに記録又は記憶されているで、同期状態は同期となっている。一方番組３のコンテンツデータは光ディスク６１にのみ記憶してあるので、同期状態は記載されておらず、また第１領域マップにおける先頭アドレス及びデータのサイズも記載されていない。図２１（ｃ）は、タイトル情報の内容例を示す。第１領域に番組１及び番組２のコンテンツデータが記憶してあるため、番組１及び番組２のコンテンツデータに係る記憶領域は第１領域となっている。一方番組３のコンテンツデータは光ディスク６１にのみ記憶してあるので、ダビング可能回数、同期状態、及び記憶領域は記載されていない。
【００６４】
図２２（ａ）は、図２１に示す状態から、リモコン５からの信号に基づいて光ディスク６１に記録された番組３のコンテンツデータの消去予約を実行した状態を示す。リモコン５からの信号に基づいて光ディスク６１に記録された番組３のコンテンツデータの消去予約を実行しているので、仮想ディスクから番組３のコンテンツデータが消去されている。一方光ディスク６１は光ディスクドライブ１１に装着されていないので、番組３のコンテンツデータは光ディスク６１に残存している。また図２２（ｃ）に示すように、番組３のコンテンツデータに対して、消去予約を示す情報が記録されている（以下消去予約を示す情報が記録されることを消去予約するという）。
【００６５】
図２３（ａ）は、図２２に示す状態のときに光ディスク６１を光ディスクドライブ１１に装着し、光ディスク６１から番組３のコンテンツデータを消去した状態を示す。光ディスク６１から番組３のコンテンツデータを消去したことに伴い、図２３（ｂ）及び図２３（ｃ）に示すように、記憶部１２の第１領域管理部に記憶された番組３のマップ情報及び番組３のタイトル情報が消去される。
【００６６】
光ディスク６１が光ディスクドライブ１１に装着されておらず、リモコン５から編集開始信号又は消去信号が入力された場合に、録画／再生制御部２４は上述した編集予約又は消去予約処理を実行し、予約編集又は予約消去処理の実行後に光ディスク６１が光ディスクドライブ１１に装着された場合に、上述した編集又は消去処理を実行する（図１８〜図２３）。
図２４は光ディスク６１が光ディスクドライブ１１に装着されていない場合における録画／再生制御部２４が実行する編集予約又は消去予約処理を示すフローチャートである。
【００６７】
録画／再生制御部２４は、リモコン受信部３３を介してリモコン５から編集開始信号が入力された否かを判定し（Ｓ７１）、編集開始信号が入力されるまで待機する（Ｓ７１：ＮＯ）。編集開始信号が入力された場合に（Ｓ７１：ＹＥＳ）、編集開始信号が入力された場合に（Ｓ７１：ＹＥＳ）、録画／再生制御部２４は、光ディスク６１に記録してあるコンテンツデータから編集すべきコンテンツデータを選択するための映像を映像表示装置４に表示させて、コンテンツデータが選択されたか否かを判定し（Ｓ７２）、コンテンツデータが選択されるまで待機する（Ｓ７２：ＮＯ）。コンテンツデータが選択された場合に（Ｓ７２：ＹＥＳ）、録画／再生制御部２４は、選択されたコンテンツデータが記憶部１２の第１領域に記憶してあるか否か判定する（Ｓ７３）。
【００６８】
選択されたコンテンツデータが記憶部１２の第１領域に記憶してない場合に（Ｓ７３：ＮＯ）、録画／再生制御部２４は、録画／再生制御部２４は、光ディスク６１に記録してあるコンテンツデータから消去すべきコンテンツデータを選択するための映像を映像表示装置４に表示させて、消去が選択されたか否かを判定し（Ｓ８０）、消去が選択されるまで待機する（Ｓ８０：ＮＯ）。消去が選択された場合に（Ｓ８０：ＹＥＳ）、録画／再生制御部２４は選択されたコンテンツデータの消去の確定を選択するための映像を映像表示装置４に表示させて、消去の確定が選択されたか否かを判定し（Ｓ８１）、消去の確定が選択されるまで待機する（Ｓ８１：ＮＯ）。消去の確定が選択された場合に（Ｓ８１：ＹＥＳ）、録画／再生制御部２４は、選択されたコンテンツデータの消去予約する（Ｓ８２）。
【００６９】
選択されたコンテンツデータが記憶部１２の第１領域に記憶してある場合に（Ｓ７３：ＹＥＳ）、録画／再生制御部２４は、光ディスク６１に記録してあるコンテンツデータから編集又は消去すべきコンテンツデータを選択するための映像を映像表示装置４に表示させて、編集が選択されたか否かを判定する（Ｓ７４）。編集が選択されていない場合には（Ｓ７４：ＮＯ）、録画／再生制御部２４は、消去が選択されたか否かを判定する（Ｓ７５）。消去が選択されていない場合には（Ｓ７５：ＮＯ）、録画／再生制御部２４はステップＳ７４へ処理を戻す。消去が選択されていない場合には（Ｓ７５：ＹＥＳ）、録画／再生制御部２４はステップＳ８１へ処理を進める。
【００７０】
編集が選択された場合には（Ｓ７４：ＹＥＳ）、録画／再生制御部２４は選択されたコンテンツデータを第１領域にて編集する（Ｓ７６）。次に録画／再生制御部２４は、リモコン５から編集終了信号が入力された否かを判定し（Ｓ７７）、編集終了信号が入力されていない場合には（Ｓ７７：ＮＯ）、録画／再生制御部２４はステップＳ７６へ処理を戻す。編集終了信号が入力された場合には（Ｓ７７：ＹＥＳ）、録画／再生制御部２４は、編集の確定を選択するための映像を映像表示装置４に表示させて、編集の確定が選択されたか否かを判定する（Ｓ７８）。編集の確定が選択されていない場合には（Ｓ７８：ＮＯ）、録画／再生制御部２４はステップＳ７６へ処理を戻す。編集の確定が選択された場合には（Ｓ７８：ＹＥＳ）、録画／再生制御部２４は選択された映像データの編集予約をする（Ｓ７９）。
【００７１】
図２５は予約編集又は予約消去処理の実行後に光ディスク６１が光ディスクドライブ１１に装着された場合に実行される編集又は消去処理を示すフローチャートである。
録画／再生制御部２４は、光ディスクドライブ１１に光ディスク６１が装着されたか否かを判定し（Ｓ９１）、光ディスクドライブ１１に光ディスク６１が装着されるまで待機する（Ｓ９１：ＮＯ）。光ディスクドライブ１１に光ディスク６１が装着された場合に（Ｓ９１：ＹＥＳ）、録画／再生制御部２４は、光ディスク６１に記録されている映像データについて消去予約されているか否かを判定する（Ｓ９２）。光ディスク６１に記録されている映像データについて消去予約されていない場合には（Ｓ９２：ＮＯ）、録画／再生制御部２４は、光ディスク６１に記録されている映像データについて編集予約されているか否かを判定する（Ｓ９３）。編集予約されていない場合に（Ｓ９３：ＮＯ）、録画／再生制御部２４は処理を終了する。編集予約されている場合に（Ｓ９３：ＹＥＳ）、録画／再生制御部２４は、記憶部１２の第１領域にて編集された編集予約に係るコンテンツデータを光ディスク６１に上書きする（Ｓ９４）。そして録画／再生制御部２４は、映像データの光ディスク６１への上書きに応じてタイトル情報及びマップ情報、例えば同期状態を更新する（Ｓ９５）。光ディスク６１に記録されている映像データについて消去予約がなされている場合に（Ｓ９２：ＹＥＳ）、録画／再生制御部２４は、光ディスク６１から消去予約に係るコンテンツデータを消去し（Ｓ９６）、ステップＳ９５へ処理を進める。
【００７２】
録画／再生制御部２４は光ディスクドライブ１１に光ディスク６１が装着され、光ディスク６１に記録されているコンテンツデータを編集している場合に、光ディスク６１の排出を禁止する禁止処理を行う。図２６は光ディスクドライブ１１に光ディスク６１が装着され、光ディスク６１に記録されているコンテンツデータを編集している場合に実行される禁止処理を示すフローチャートである。
なお録画／再生制御部２４は、光ディスクドライブ１１に装着された光ディスク６１に対してコンテンツデータの編集を行っている場合に、編集中であることを示す情報をコンテンツデータ毎に保存用メモリ２７又は記憶部１２に記憶し、編集が終了した場合に、編集中であることを示す情報を保存用メモリ２７又は記憶部１２から消去するように構成されている。
【００７３】
録画／再生制御部２４はリモコン５から光ディスク６１を光ディスクドライブ１１から排出する排出信号が入力された否かを判定し（Ｓ１０１）、排出信号が入力されるまで待機する（Ｓ１０１：ＮＯ）。排出信号が入力された場合に（Ｓ１０１：ＹＥＳ）、録画／再生制御部２４は、記憶部１２にアクセスして、光ディスク６１に記録されているコンテンツデータの編集中であることを示す情報が記憶してあるか否かを判定する（Ｓ１０２）。光ディスク６１に記録されているコンテンツデータの編集中であることを示す情報を記憶してない場合に（Ｓ１０２：ＮＯ）、録画／再生制御部２４は光ディスク６１を排出する（Ｓ１０３）。光ディスク６１に記録されているコンテンツデータの編集中であることを示す情報が記憶してある場合には（Ｓ１０２：ＹＥＳ）、録画／再生制御部２４は光ディスク６１を排出することができないことを報知する映像を映像表示装置４に表示させる（Ｓ１０４）。
【００７４】
実施の形態に係る記録装置１にあっては、光ディスク６１に固有のディスクＩＤを関連付けてある第１領域にコンテンツデータを記憶して編集し、編集されたコンテンツデータを光ディスク６１に記録した編集前のコンテンツデータとは非同一とし、非同一のコンテンツデータを光ディスク６１に上書きする。例えば編集されたコンテンツデータと光ディスク６１に記録した編集前のコンテンツデータとの同期状態を未同期とし、未同期の場合にのみ編集されたコンテンツデータを光ディスク６１に上書きするので、コピーガード規制を遵守して、前記第１領域に記憶したコンテンツデータを短時間で編集することができる。また編集されたコンテンツデータは第１領域から他の光ディスクへ記録されず、コピーガード規制を遵守することができる。また記憶部１２は記録装置に内蔵されているので、ユーザは記憶部１２を容易に取り出すことはできず、コピーガード規制を遵守することができる。
【００７５】
また編集するコンテンツデータが光ディスク６１にのみ記録されている場合に、光ディスク６１に記録されているコンテンツデータを前記第１領域に記憶し、第１領域において編集する。このとき前記第１領域に記憶されたコンテンツデータを他の光ディスクへ記録しないことを示す情報を記憶する、例えばダビング可能回数を０にするので、停電等によって編集が中止された場合でも、復旧時に前記情報を参照することによって編集前のコンテンツデータが他の光ディスクへ不正に記録されることを回避することができる。
【００７６】
また第１領域にて編集されたコンテンツデータを光ディスク６１に上書きした場合に、編集されたコンテンツデータと光ディスク６１に記録されたコンテンツデータとは同一であることを示す情報を記憶する。例えば第１領域にて編集されたコンテンツデータを光ディスク６１に上書きした場合に、編集されたコンテンツデータと光ディスク６１に上書きしたコンテンツデータとの同期状態を同期とし、同期したコンテンツデータを他の光ディスクへ複写しない構成にすることによって、光ディスク６１に上書きされたコンテンツデータが他の光ディスクに不正に記録されることを回避することができる。
【００７７】
また光ディスク６１が装着されていない場合には前記第１領域に記憶してあるコンテンツデータを編集する予約編集を行い、予約編集後に光ディスク６１が装着された場合に、編集されたコンテンツデータを光ディスク６１に上書きするので、コンテンツデータが他の光ディスクに不正に記録されることを回避しつつ、コンテンツデータを編集し光ディスク６１に確実に記録することができる。
【００７８】
また光ディスク６１が装着されていない場合に、光ディスク６１に記録してある映像データを消去する要求があったときに前記第１領域に記憶してあるコンテンツデータを消去する予約消去を行い、予約消去後に光ディスク６１が装着された場合に、消去を要求されたコンテンツデータを光ディスク６１から確実に消去する。
【００７９】
またコンテンツデータの編集中に光ディスクを排出する排出信号が入力されても、光ディスクを排出しないので光ディスク６１に記録してあるコンテンツデータが他の光ディスクに不正に記録されることを防止することができる。
【００８０】
なお実施の形態に係る記録装置１は表示装置４に接続する構成としてあるが、表示装置４と一体化した構成であっても良い。また光ディスクに代えて、メモリーカード、着脱可能なＨＤ等を使用しても良い。また記録装置１は信号入力部３２から入力されたストリームデータを記憶部１２に記憶し、編集してもよい。また光ディスクに記録してあるコンテンツデータのビットレートと記憶部に記憶してあるコンテンツデータのビットレートとは異なっても良い。また記憶領域にてコンテンツデータを編集する場合に、編集したコンテンツデータに対するフラグを記憶部１２に記憶し、該フラグが記憶してあるときは、記憶領域から光ディスクへのコンテンツデータを上書きする構成としても良い。
【符号の説明】
【００８１】
１  記録装置
４  表示装置
５  リモートコントローラ
１１  光ディスクドライブ
１２  記憶部
１３  ドライブ制御部
１４  インタフェース部
２１  デジタルチューナ
２２  エンコーダ
２４  録画／再生制御部
２６  インタフェース部
２８  デコーダ
２９  画像処理部
３３  リモコン受信部
【図１】
2010250889.tif 000003
【図２】
2010250889.tif 000004
【図３】
2010250889.tif 000005
【図４】
2010250889.tif 000006
【図５】
2010250889.tif 000007
【図６】
2010250889.tif 000008
【図７】
2010250889.tif 000009
【図８】
2010250889.tif 000010
【図９】
2010250889.tif 000011
【図１０】
2010250889.tif 000012
【図１１】
2010250889.tif 000013
【図１２】
2010250889.tif 000014
【図１３】
2010250889.tif 000015
【図１４】
2010250889.tif 000016
【図１５】
2010250889.tif 000017
【図１６】
2010250889.tif 000018
【図１７】
2010250889.tif 000019
【図１８】
2010250889.tif 000020
【図１９】
2010250889.tif 000021
【図２０】
2010250889.tif 000022
【図２１】
2010250889.tif 000023
【図２２】
2010250889.tif 000024
【図２３】
2010250889.tif 000025
【図２４】
2010250889.tif 000026
【図２５】
2010250889.tif 000027
【図２６】
2010250889.tif 000028